(57)【要約】【課題】  光源装置の汎用性を高める。【解決手段】  ファイバースコープを接続口１２にセットすることにより単体で使用可能な光源装置１０の筐体１１の底面１１Ｂに接点部を設ける。プロセッサ２０の筐体２１の底面２１Ｂに接点部２２を設ける。筐体２１のライトガイド口２４に対応する位置にアジャスター２５と自動絞り２６とを配設する。筐体１１の接点部と接点部２２が嵌合し、光源装置１０の接続口１２とライトガイド口２４の間にアジャスター２５が介在するよう、光源装置１０をプロセッサ２０に組み込む。ＡＣ接続モジュール２８を筐体１１の背面１１Ｒのインレットに接続し、光源装置１０へ電源を供給する。【選択図】        図３
2005237691.tif 000002
【特許請求の範囲】
【請求項１】
照明光を供給するための光源と、
前記光源から出射された光の光量を調節する第１の絞りと、
プロセッサに組み込まれたことを検出するための組込み検出手段と、
電源取得手段とを備え、
前記プロセッサに組み込まずに使用するとき、前記電源取得手段は商用電源から電源を取得し、前記プロセッサに組み込んで使用するとき、前記電源取得手段は前記プロセッサから電源を取得し、
前記組込み検出手段により前記プロセッサに組込まれたことが検知されると、前記第１の絞りが開放されることを特徴とする光源装置。
【請求項２】
前記光源の累積使用時間を計測する計測手段と、前記計測手段により計測された累積使用時間を記憶する記憶手段とを備えることを特徴とする請求項１に記載の光源装置。
【請求項３】
前記光源の種類と前記累積使用時間を前記プロセッサへ伝達する制御手段を備えることを特徴とする請求項２に記載の光源装置。
【請求項４】
請求項１乃至３のいずれかに記載の光源装置が組み込まれて使用されるプロセッサであって、
前記光源装置が組み込まれたことを前記光源装置に感知させるための組込み報知手段と、
前記光源の出射光が射出される前記光源装置の第１の射出口と、接続されるスコープへ照明光を導くための前記プロセッサの第２の射出口とを光学的に接続する光路延長手段と、
前記光源装置へ電源を供給するための電源供給手段とを備えることを特徴とするプロセッサ。
【請求項５】
前記第２の射出口から射出される光の光量を調節する第２の絞りを備え、
前記光路延長手段は、前記第２の絞りと前記第１の射出口との間に介在させられることを特徴とする請求項４に記載のプロセッサ。
【請求項６】
前記電源供給手段は、前記光源装置に接続可能なＡＣ接続モジュールを有することを特徴とする請求項４に記載のプロセッサ。
【発明の詳細な説明】
【技術分野】
【０００１】
本発明は、内視鏡のスコープが接続される光源装置に関する。
【背景技術】
【０００２】
内視鏡による観察は、ファイバースコープや電子内視鏡の電子スコープを患者の体内に挿入して行われる。体内は外光が入り込まないため、観察対象に照明光を照射しなければならない。そこで、ファイバースコープは専用の光源装置に接続され、電子スコープは光源を内蔵するビデオプロセッサに接続されて使用される。すなわち、光源装置やビデオプロセッサに設けられたキセノンランプやハロゲンランプ等の光源から射出された光が、ファイバースコープや電子スコープの内部を挿通するライトガイドに導かれ、それぞれのスコープの先端から観察対象に照射される。
【特許文献１】特許第３０８９９５０号公報
【発明の開示】
【発明が解決しようとする課題】
【０００３】
電子内視鏡は、ＣＣＤで取得した画像信号に所定の画像処理を施してＴＶモニタに表示するものであるため、その電子スコープをファイバースコープ用の光源装置に接続して使用することはできない。一方、ファイバースコープは、プロセッサの光源接続口に接続して使用することが可能である。しかしながら、プロセッサはファイバースコープ用の光源装置に比べると、嵩張り重量も大きい。従って、訪問診療等でファイバースコープを用いる場合、プロセッサを携行することは負担が大きい。このように、光源装置及びプロセッサには汎用性の面で問題があった。
【０００４】
本発明は以上の問題を解決するものであり、汎用性の高い光源装置を提供することを目的とする。
【課題を解決するための手段】
【０００５】
本発明に係る光源装置は、照明光を供給するための光源と、光源から出射された光の光量を調節する第１の絞りと、プロセッサに組み込まれたことを検出するための組込み検出手段と、電源取得手段とを備え、プロセッサに組み込まずに使用するとき、電源取得手段は商用電源から電源を取得し、プロセッサに組み込んで使用するとき、電源取得手段はプロセッサから電源を取得し、組込み検出手段によりプロセッサに組込まれたことが検知されると、第１の絞りが開放されることを特徴とする。
【０００６】
また、光源装置は、選択的に、光源の累積使用時間を計測する計測手段と、この計測手段により計測された累積使用時間を記憶する記憶手段とを備えていてもよい。この場合、光源の種類と累積使用時間を光源装置が組み込まれるプロセッサへ伝達する制御手段を備えているのが好ましい。
【０００７】
本発明に係るプロセッサは、上記の光源装置が組み込まれて使用されるプロセッサであって、光源装置が組み込まれたことを光源装置に感知させるための組込み報知手段と、光源装置の光源の出射光が射出される光源装置の第１の射出口と、接続されるスコープへ照明光を導くためのプロセッサの第２の射出口とを光学的に接続する光路延長手段と、光源装置へ電源を供給するための電源供給手段とを備えることを特徴とする。
【０００８】
このプロセッサは、好ましくは、第２の射出口から射出される光の光量を調節する第２の絞りを備え、光路延長手段は、第２の絞りと第１の射出口との間に介在させられる。
【０００９】
また、上述の電源供給手段は、例えば光源装置に接続可能なＡＣ接続モジュールを有する。
【発明の効果】
【００１０】
以上のように、本発明に係る光源装置は、ファイバースコープ用に単体で用いることができる一方、プロセッサに組み込めば電子スコープの光源として用いることもできる。すなわち、本発明によれば、同一の光源装置をファイバースコープ及び電子スコープに兼用することができ経済的である。
【００１１】
光源装置をプロセッサに組み込んで使用するとき、光源装置の構成要素に何らかの不具合が生じた場合、光源装置ごと交換することができ、迅速な対応が可能である。
【００１２】
光源装置に光源の累積使用時間を計測する計測手段を設け、その計測結果をプロセッサへ伝達すれば、プロセッサの使用者が光源の寿命を正確に把握することができる。
【００１３】
また、光源装置からプロセッサへ光源の種類を伝達させるよう構成すれば、プロセッサの画像処理において光源の特性に応じた処理が可能となる。従って、プロセッサに接続された出力機器において良好な画像が得られる。
【発明を実施するための最良の形態】
【００１４】
図１は、本発明に係る第１実施形態が適用される光源装置１０の斜視図である。略直方体の筐体１１の内部には、ハロゲンランプやキセノンランプ等の光源（図示せず）が所定の箇所に配設される。筐体１１の前面１１Ｆには、ファイバースコープが接続される接続口１２と、光量調節ダイヤル１３が設けられる。上述の光源から出射される光は接続口１２を介して外部へ射出される。筐体１１の内部において光源と接続口１２の間には、絞り（図示せず）が介在させられる。この絞りは光量調節ダイヤル１３と連動する絞り駆動機構（図示せず）によりその開口径が調節される。筐体１１の側面１１Ｓには開口部が形成され、その開口部を覆うように蓋１４が設けられている。蓋１４は開閉自在に支持される。この開口部を介して、光源の設置、取り外しが行われる。筐体１１の背面１１Ｒには、電源を取得するためのインレット（図示せず）が設けられている。筐体１１の上面１１Ｕには、光源装置１０の持ち運びに便利なよう取っ手１５が設けられている。
【００１５】
図２は、筐体１１の底面１１Ｂの外周面を示す平面図である。底面１１Ｂには、光源装置１０が後述するプロセッサに組み込まれたことを検出するための接点部１６（組込み検出手段）が設けられている。接点部１６は、外力が加えられると筐体１１の内部へ変位可能なよう支持されている。
【００１６】
光源装置１０をファイバースコープの光源装置として使用するとき、商用電源のアウトレットと上述のインレットをＡＣコードで接続し電源を供給し、上述の光源を駆動させる。また、光量調節ダイヤル１３を操作することにより、上述の絞りの開口径が調節される。その結果、光量が適宜調節された照明光が接続口１２に接続されたファイバースコープへ供給される。
【００１７】
図３は、光源装置１０が組み込まれるプロセッサ２０の分解斜視図であり、光源装置１０と共に示される。筐体２１の上面２１Ｕは回動可能に支持されている。上面２１Ｕを開けた状態で、光源装置１０の設置、取り外しが行われる。プロセッサ２０の筐体２１の底面２１Ｂにおいて、筐体２１の内側の平面には、突状の接点部２２（組込み報知手段）が形成されている。接点部２２は、上述の光源装置１１の接点部１６と嵌合する形状を有する。筐体２１の前面２１Ｆには、画像情報、制御信号等を電子スコープとの間で送受信するための信号口２３と、照明光を供給するためのライトガイド口２４が形成されている。
【００１８】
アジャスター２５は、筐体２１の内部において、ライトガイド口２４に対応する位置に設けられる。アジャスター２５の内部には、端部２５Ａから入射する光を端部２５Ｂへ導くリレー光学系（図示せず）が配設される。自動絞り２６は、アジャスター２５とライトガイド口２４の間に介在させられる。自動絞り２６を制御することにより、アジャスター２１の端部２５Ｂから出射しライトガイド口２４へ入射する光の光量が調節される。筐体２１の背面２１Ｒにおいて、筐体２１の外側の平面には、商用電源を供給するアウトレットに接続されるＡＣコード２７が設けられている。背面２１Ｒにおいて筐体２１の内側の平面には、ＡＣコード２７と最終的に接続されているＡＣ接続モジュール２８が設けられている。ＡＣ接続モジュールの形状には、コード状やコネクタ状のものがある。
【００１９】
尚、図３の複雑化を避けるため、上記に説明した構成要素以外の構成要素・部材等は同図において省略されている。
【００２０】
図１の光源装置１０は、図３のプロセッサ２０に組み込むことにより電子スコープの光源装置として使用可能となる。光源装置１０をプロセッサ２０に組み込むと、光源装置１０の接点部１６（図２参照）は、プロセッサ２０の接点部２２に押され筐体１１の内部へ変位する。接点部１６の変位は光源装置１０の絞り駆動機構に伝達され、光源装置１０の絞りは強制的に全開状態にさせられる。また、光源装置１０への電源の供給は、ＡＣ接続モジュール２８を光源装置１０の裏面１１Ｂのインレットに接続することにより行われる。
【００２１】
図４は、本発明に係る第２実施形態が適用される光学装置とプロセッサのブロック図である。尚、図４においては本発明に係る要部のみが示される。光学装置３０の光源３１には、第１実施形態の光源装置２０の光源と同様、キセノンランプやハロゲンランプが用いられる。また、絞り３２は、第１実施形態と同様、光量調節ダイヤル３３の操作に連動して動作する絞り駆動機構３４により駆動され、その開口径が調節される。光学装置３０にファイバースコープを接続して使用する態様は第１実施形態の光学装置３０と同様である。
【００２２】
計測回路３５は、光源３１の累積使用時間を計測する回路である。計測回路３５による計測結果はメモリ３６に格納される。また、メモリ３６には光源３１のタイプが格納されている。
【００２３】
第１実施形態のプロセッサ２０と同様、プロセッサ４０は、光学装置３０を組み込んだ状態で使用される。光学装置３０及びプロセッサ４０はそれぞれ電気的接点３７（組込み検出手段）、電気的接点４１（組込み報知手段）を有する。光学装置３０がプロセッサ４０に組み込まれると、電気的接点３７、４１が電気的に接続される。その結果、光学装置３０のＣＰＵ１００とプロセッサ４０のＣＰＵ２００の間で各種データの送受信が可能となる。
【００２４】
電気的接点３７、４１の接続が確認されると、ＣＰＵ１００は絞り駆動回路３８へ絞り開放の制御信号を出力する。この制御信号に応じた駆動信号が絞り駆動回路３８から絞り駆動機構３４へ出力される。その結果、絞り３２の開口径は最大となる。また、電気的接点３７、４１の接続が確認されると、ＣＰＵ１００はメモリ３６に格納された光源３１のタイプ、及び累積使用時間をＣＰＵ２００へ送信する。
【００２５】
ＣＰＵ２００は、電子スコープから得られる画像信号に基づいて、あるいはプロセッサ４０のパネル（図示せず）に設けられた調光ボタンの操作に基づいて、絞り４２の駆動量を演算する。この演算結果は絞り駆動回路４３へ出力され、それに応じて絞り駆動回路４３から絞り駆動機構４４へ制御信号が出力され、絞り４２が駆動される。尚、光源装置３０から供給される照明光は、第１実施形態と同様、アジャスター４５を介して絞り４２へ入射される。画像処理回路４６では、電子スコープから得られる画像信号に所定の画像処理が施される。画像処理が施された画像信号は、プロセッサ２００に接続されたＴＶモニタやプリンタ等の周辺機器に出力される。
【００２６】
ＣＰＵ２００は、受信した光源３１のタイプに基づいて、所定の制御信号を画像処理回路４６へ出力する。画像処理回路４６ではこの制御信号に基づいて、上述の画像処理を行う。すなわち、光源３１のタイプに適した画像処理が行われる。従って、ＴＶモニタに表示される画像やプリンタから出力される画像がより良好なものとなる。
【００２７】
また、ＣＰＵ２００は、受信した光源３１の累積使用時間を画像処理回路４６へ出力する。画像処理回路４６ではキャラクター処理により累積使用時間を画像信号にスーパーインポーズし、ＴＶモニタへ出力する。これにより光源３１の累積使用時間が使用者に報知される。従って、使用者は光源３１を交換すべきか否か正確に判断することができる。すなわち、光源装置３０から供給される照明光に問題があるとき、その原因が他の機構にあるにもかかわらず、光源３１に原因があると誤認することが回避される。
【図面の簡単な説明】
【００２８】
【図１】本発明に係る第１実施形態が適用される光源装置の斜視図である。
【図２】第１実施形態の光源装置の底面図である。
【図３】第１実施形態が適用されるプロセッサの分解斜視図である。
【図４】本発明に係る第２実施形態が適用される光源装置とプロセッサのブロック図である。
【符号の説明】
【００２９】
１０  光源装置
１１、２１  筐体
１２  接続口
１３  光量調節ダイヤル
１４  蓋
１６、２２  接点部
２０  プロセッサ
２５  アジャスター
２６  自動絞り
【図１】
2005237691.tif 000003
【図２】
2005237691.tif 000004
【図３】
2005237691.tif 000005
【図４】
2005237691.tif 000006